(57)【要約】【課題】  複数色のインク滴を重ねることによって形成される混色部分の色味を、往走査時と復走査時とで均一化することができると共に、安価かつ小型に構成することが可能なインクジェット記録方法およびインクジェット記録方法を提供する。【解決手段】  異なる色のインクを吐出する記録ヘッドを記録媒体に対して往復走査可能に設け、記録媒体の同一箇所に重ねて付与すべき２色のインク滴Ｙ，Ｍを、前記記録ヘッドの往走査と復走査とで異なる順序で付与する。ここで、記録媒体の同一箇所に重ねて付与すべき２色のインク滴Ｙ，Ｍのうち、一方のインク滴Ｙのインク量を、往走査（Ｘ１方向への走査）と復走査（Ｘ２方向への走査）とで異ならせるようにする。【選択図】  図１
2005169860.tif 000002
【特許請求の範囲】
【請求項１】
異なる色のインクを吐出する記録ヘッドを記録媒体に対して往復走査可能に設け、前記記録媒体の同一箇所に重ねて付与すべき複数色のインク滴を、前記記録ヘッドの往走査と復走査とで異なる順序で付与するようにしたインクジェット記録方法であって、
前記記録媒体の同一箇所に重ねて付与すべき複数色のインク滴のうち、少なくとも１色のインク滴のインク量を、往走査と復走査とで異ならせるようにしたことを特徴とするインクジェット記録方法。
【請求項２】
前記記録媒体の同一箇所に重ねて付与すべき複数色のインク滴は、異なる２色のインク滴であることを特徴とする請求項１に記載のインクジェット記録方法。
【請求項３】
前記記録ヘッドの往走査と復走査のいずれか一方の走査において、前記記録媒体の同一箇所に重ねて付与すべき複数色のインク滴のうち、少なくとも１色のインク滴のインク量を他のインク滴のインク量と異ならせることを特徴とする請求項１または２に記載のインクジェット記録方法。
【請求項４】
前記記録ヘッドは、インク滴を吐出する複数のノズルを備え、前記ノズル内に設けられた電気熱変換素子に駆動パルスが印加されることによって熱エネルギーを発生し、その熱エネルギーによってインク内に気泡を発生させることによりインク滴を吐出させることを特徴とする請求項１ないし３のいずれかに記載のインクジェット記録方法。
【請求項５】
前記記録ヘッドから吐出されるインク滴のインク量は、前記駆動パルスのパルス幅を変更することによって制御されることを特徴とする請求項４に記載のインクジェット記録方法。
【請求項６】
前記記録ヘッドに印加される駆動パルスは、前記ノズルからインク滴が吐出されない程度の熱エネルギーを前記電気熱変換素子から発生させるためのプレパルスと、前記プレパルスによって加熱されたインク内に気泡を発生させてインク滴を吐出させる熱エネルギーを前記電気熱変換素子から発生させるためのメインパルスとからなり、
前記プレパルスおよびメインパルスのうち、少なくとも一方のパルス幅を変更することによってインク滴のインク量を制御することを特徴とする請求項５に記載のインクジェット記録方法。
【請求項７】
前記プレパルスおよびメインパルスのパルス幅を変更すると共に、前記メインパルスのパルスの電気熱変換素子への印加タイミングを変更することによってインク滴のインク量を変更することを特徴とする請求項６に記載のインクジェット記録方法。
【請求項８】
異なる色のインクを吐出する記録ヘッドを記録媒体に対して往復走査可能に設け、前記記録媒体の同一箇所に重ねて付与すべき複数色のインク滴を、前記記録ヘッドの往走査と復走査とで異なる順序で付与するようにしたインクジェット記録装置であって、
前記記録ヘッドから吐出させるインク滴のインク量を制御する制御手段を備え、
前記制御手段は、前記記録媒体の同一箇所に重ねて付与すべき複数色のインク滴のうち、少なくとも１色のインク滴のインク量を、往走査と復走査とで異ならせることを特徴とするインクジェット記録装置。
【請求項９】
前記制御手段は、前記記録ヘッドの往走査と復走査のいずれか一方の走査において、前記記録媒体の同一箇所に重ねて付与すべき複数色のインク滴のうち、少なくとも１色のインク滴のインク量を他のインク滴のインク量と異ならせることを特徴とする請求項８に記載のインクジェット記録装置。
【請求項１０】
前記記録ヘッドは、インク滴を吐出する複数のノズルを備え、前記ノズル内に設けられた電気熱変換素子に駆動パルスが印加されることによって熱エネルギーを発生し、その熱エネルギーによってインク内に気泡を発生させることによりインク滴を吐出させることを特徴とする請求項８または９に記載のインクジェット記録装置。
【請求項１１】
前記制御手段は、前記駆動パルスを発生させると共に、前記駆動パルスのパルス幅を変更することによって前記記録ヘッドから吐出されるインク滴のインク量を制御することを特徴とする請求項１０に記載のインクジェット記録装置。
【請求項１２】
前記制御手段は、前記ノズルからインク滴が吐出されない程度の熱エネルギーを前記電気熱変換素子から発生させるためのプレパルスと、前記プレパルスによって加熱されたインク内に気泡を発生させてインク滴を吐出させる熱エネルギーを前記電気熱変換素子から発生させるためのメインパルスとを駆動パルスとして前記電気熱変換素子に印加すると共に、
前記プレパルスおよびメインパルスのうち、少なくとも一方のパルス幅を変更することによってインク滴のインク量を変更することを特徴とする請求項１１に記載のインクジェット記録装置。
【発明の詳細な説明】
【技術分野】
【０００１】
本発明は、紙、樹脂シート、布等の記録媒体の搬送方向と交差する方向に対して記録ヘッドを往復移動させると共に、記録ヘッドの往動時および復動時の双方において液滴を吐出させて記録を行うインクジェット記録装置およびインクジェット記録方法に関する。
【背景技術】
【０００２】
インクジェット記録装置は、記録ヘッドに配列されたノズルの微小な吐出口から微小な液滴（インク）を吐出させて紙などの記録媒体に対して記録を行う、いわゆるノンインパクト記録方式を採る記録装置であり、記録動作時における騒音が発生せず、種々の記録媒体への記録や高速記録を行うことができる、という種々の利点を有している。このため、現在では、複写装置、ワードプロセッサ、コンピュータ等の情報処理機器やファクシミリ等の通信機器の画像出力を担うものとして広く採用されている。このインクジェット記録装置の代表的なものとしては、インク滴の吐出エネルギーの発生に電気熱変換素子の熱エネルギーを利用するものがある。
【０００３】
近年、このインクジェット記録方式においては、その用途が多様化しているため、高速記録および高画質化に加えて、さらなる低コスト化、小型化なども要求されている。この要求を満たすインクジェット記録装置としては、記録媒体を一定方向へと搬送すると共に、その記録媒体の搬送方向と交差する方向に沿って移動するキャリッジに、記録ヘッドを搭載し、キャリッジと共に記録ヘッドを往復走査させて記録動作を行ういわゆるシリアルスキャン型のインクジェット記録装置が知られている。
【０００４】
図１３は、このシリアルスキャン方式のインクジェット記録装置に用いられる記録ヘッドに複数形成されるインク吐出用のノズルの構造を示す説明断面図である。図１３において、基板２１８には、液体供給口２１９が形成され、ここにインクが供給される。また、基板上面は、ノズル形成部材２２３で覆われており、インク供給口２１９に接してインク流路の列が形成され、各インク流路の底面には、電気熱変換体２２０が基板上面に形成され、さらに各電気熱変換体に対応して吐出口２２４が形成されている。
【０００５】
図１４は、一般的なカラーインクジェット記録ヘッドの構成を示す一部切欠斜視図である。なお、実際の記録ヘッドは、ブラック、シアン、マゼンタおよびイエローの４色が一般的であるが、図１４では説明を簡略化するため、２色のインクを吐出するものを示しており、以下、この２色のインクを吐出する記録ヘッドに従って説明を行う。
【０００６】
ここでは、吐出するインクをイエロー、マゼンタの２色のインクを吐出する場合について説明する。  
液体供給口２１９は２個あり、それらには、イエロー、マゼンタのインクがそれぞれ供給されている。そして、インクジェット記録ヘッド（以下、単に記録ヘッドともいう）がこれを保持するキャリッジと共に、記録媒体上を往復走査し、その往走査および復走査の双方においてマゼンタとイエローのインク滴を記録媒体に着弾させ、これを繰り返すことにより画像を形成する。いま、往走査において吐出される２色のインク滴が、マゼンタ、イエローの順に記録媒体に着弾したとすると、復走査においては往走査とは逆に、イエロー、マゼンタの順に各インクが記録媒体に着弾する。
【０００７】
例えば、図２に示すように左側にイエロー、右側にマゼンタが配置されている記録ヘッドにおいて、往走査方向（Ｘ１方向）にキャリッジが走査した場合、前記両インク滴は、マゼンタ、イエローの順に記録媒体上の同一のドット形成位置に着弾し、形成されたドットの色はレッドとなる。
【０００８】
図３はこのときのインク滴の着弾状態を模式的に示す断面図である。図示のように、記録媒体では、先に着弾したマゼンタのインク滴が記録媒体に浸透し、表面および内部に広がる。次に、着弾したイエローのインク滴は、マゼンタの下部に潜り込んで行く。このため、記録媒体表面から見ると、形成されたドットの色相は、マゼンタとイエローの混合色であるレッドとなる。
【０００９】
一方、キャリッジと共に記録ヘッドが復走査方向（Ｘ２方向）に移動した場合には、イエロー、マゼンタの順でインク滴が記録媒体の同一のドット形成位置に着弾し、形成されたドットの記録媒体表面側から見た色相はレッドとなる。  
但し、この復走査時においては、先に着弾したイエローの下に、後に着弾したマゼンタのインク滴が潜り込んだ状態でドットが形成されるため、両インクの混合色であるレッドは、図３に示す往動時に形成されるドットとは異なり、イエローが支配的な色相のレッドとなる。
【００１０】
このように、双方向記録において、複数色のインク（ここでは、マゼンタ、イエロー）を重ねて混色ドットを形成する場合には、混色ドットを形成するインクの組合せが同一であったとしても、往動走査時と復走査時とで色味の異なるドットが、１スキャンで記録される領域を単位として交互に形成されてしまい、画像に色ムラが発生し、画像品質を低下させるという問題が生じる。こうした問題は、高速記録に適した１パス記録によってカラー画像を形成する場合に特に顕著なものとなる。
【００１１】
そこで、このような問題を解決するため、往走査時と復走査時とで各色のインクが着弾される順序を等しくするように、各色のヘッドを対称に配置した構成が特許文献１に開示されている。
【００１２】
また、特許文献２には、往復の記録における色ムラを解決する手法として、往復走査のうち、往走方向において後に付与されるインクを、往路、復路ともに吐出量を少なくする構成が開示されている。つまり、往路方向の主走査で、シアン（Ｃ），マゼンタ（Ｍ）の順に記録される場合に、後に付与されるマゼンタ（Ｍ）について、往路と復路の両方でその吐出量を減らすという構成を開示している。この場合、復路では記録順が逆転されるために、復路では先に付与されるマゼンタの吐出量が、シアンよりも小となる。
また、往走査時の順序で記録したドットと、復走査時のドットとが、１スキャンで記録される領域内で、主走査方向に沿って交互に記録されるようにして、色味の違いを目立ちにくくした構成が特許文献３に開示されている。
【００１３】
【特許文献１】特開平０８−２９５０３４号公報
【特許文献２】特開平１１−２０７９９９号公報
【特許文献３】特開平０５−１６７８３８号公報
【発明の開示】
【発明が解決しようとする課題】
【００１４】
しかしながら、上記特許文献１に開示された構成にあっては、吐出口列をヘッドの走査方向に対して対称になるように配列するため、例えば３色のヘッドの場合、色は３色でありながら５色分の吐出口列を必要とし、記録ヘッドの構成が大型化し、これを用いた記録装置全体も大型化している。
【００１５】
このため、比較的高い価格帯の記録装置にあっては、上記構成を採用することにさほど問題は生じないが、低い価格帯の記録装置には適さない構成となっている。従って、バンドル機などの低価格プリンター用のヘッドには、上記のような対象型の記録ヘッドは殆ど使用されていないのが現状である。
【００１６】
しかしながら、用途が多様化する現在のインクジェット記録装置にあっては、低価格であっても高画質を実現でき、小型な構成を有するものが求められている。
【００１７】
また、前記特許文献２にあっては、往走査、復走査の両方において、記録ドットの制御、具体的には吐出量の制御が必要であり、制御が複雑なものとなってしまう。
【００１８】
また、特許文献３においては、往走査で着弾したインクが紙面を占める割合と、復走査で着弾したインクが紙面を占める割合とが、インクの紙に対する浸透のメカニズムによって異なり、結果として、１スキャンの記録幅を単位として色味に差が出てしまう。
【００１９】
本発明は、記録媒体の同一箇所に複数色のインク滴を重ねて付与する際に、インク滴の色順が復走査と復走査とで異なっていても、両走査において形成される混色部分に色味の違いが発生することがなく、高品位な画像を形成し得ると共に、安価かつ小型に構成することが可能なインクジェット記録方法およびインクジェット記録方法の提供を目的とする。
【課題を解決するための手段】
【００２０】
上記従来技術の課題を解決するため、本発明は以下の構成を有する。  
すなわち、本発明の第１の形態は、異なる色のインクを吐出する記録ヘッドを記録媒体に対して往復走査可能に設け、前記記録媒体の同一箇所に重ねて付与すべき複数色のインク滴を、前記記録ヘッドの往走査と復走査とで異なる順序で付与するようにしたインクジェット記録方法であって、前記記録媒体の同一箇所に重ねて付与すべき複数色のインク滴のうち、少なくとも１色のインク滴のインク量を、往走査と復走査とで異ならせるようにしたことを特徴とする。
【００２１】
また、本発明の第２の形態は、異なる色のインクを吐出する記録ヘッドを記録媒体に対して往復走査可能に設け、前記記録媒体の同一箇所に重ねて付与すべき複数色のインク滴を、前記記録ヘッドの往走査と復走査とで異なる順序で付与するようにしたインクジェット記録装置であって、前記記録媒体の同一箇所に重ねて付与すべき複数色のインク滴のうち、少なくとも１色のインク滴のインク量を、往走査と復走査とで異ならせるよう制御する制御手段を設けたものである。
【発明の効果】
【００２２】
本発明においては、記録媒体の同一箇所に複数色のインク滴を重ねて付与する場合に、往走査と復走査とで各インク滴の付与順序が異なるものとなっているが、そのインク滴の付与順序の違いによって複数色のインク滴の重なり部分に色味の違いが発生することはなく、色ムラの発生を防止することができる。このため、従来より提案されている大型な対称型記録ヘッドを用いなくとも、小型かつ安価な記録ヘッドを用いて高品質な画像を形成することが可能となる。
【発明を実施するための最良の形態】
【００２３】
以下、図面を参照して本発明に係る実施形態を説明する。なお、以下の実施形態に係るインクジェット記録装置およびインクジェット記録方法は、インクの吐出を行う記録ヘッドを保持するキャリッジが主走査方向に沿って往復走査を行い、往走査および復走査のそれぞれにおいて記録ヘッドからインクを吐出しつつ記録動作を行う、いわゆるシリアルスキャン方式を採るものとなっている。
【００２４】
まず、本実施形態における記録ヘッドカートリッジについて図１０および図１１に基づき説明する。  
本実施形態における記録ヘッドカートリッジＨ１０００は、図１０に示すように、インクを貯留するインクタンクＨ１９００と、このインクタンクＨ１９００から供給されるインク滴を記録情報に応じてノズルから吐出させる記録ヘッドユニットＨ１００１とを有し、記録ヘッドユニットＨ１００１は、不図示のキャリッジに対して着脱可能に搭載されるようになっている。ここに示す記録ヘッドユニットＨ１００１は、４種類の記録ヘッドを一体的に保持している。また、インクタンクＨ１９００は、前記記録ヘッドユニットＨ１００１の各記録ヘッドに対してそれぞれ異なるインク（ここでは、ブラック、イエロー、シアンおよびマゼンタの４色のインク）を貯留する４個のインクタンクＨ１９０１〜Ｈ１９０４によって構成されており、各インクタンクＨ１９０１〜Ｈ１９０４は、前記各記録ヘッドに対して着脱可能となっている。従って、記録ヘッドユニットＨ１００１からは、ここに装着された各インクタンクより供給された異なる色のインクを各記録ヘッドから吐出し得るようになっている。
【００２５】
また、前記記録ヘッドユニットＨ１００１は、図１１の分解斜視図に示すように、タンクホルダーＨ２０００，第１の記録素子基板Ｈ１１０１、第２の記録素子基板Ｈ１１００、第１のプレートＨ１２００、電気配線テープＨ１３００、電気コンタクト基板Ｈ２２００、第２のプレートＨ１４００、インク供給部材Ｈ１５００、流路形成部材Ｈ１６００、ジョイントゴムＨ２３００、フィルターＨ１７００、シールゴムＨ１８００等から構成されている。
【００２６】
第１の記録素子基板Ｈ１１０１および第２の記録素子基板Ｈ１１００には、Ｓｉ基板の片面にインクを吐出するための複数の記録素子と、各記録素子に電力を供給するＡｌ等の電気配線とが成膜技術により形成され、この記録素子に対応した複数のインク流路と複数の吐出口とがフォトリソグラフィ技術により形成されている。
【００２７】
また第１の記録素子基板Ｈ１１０１および第２の記録素子基板Ｈ１１００は、第１のプレートＨ１２００に接着固定されており、ここには前記第２の記録素子基板Ｈ１１００にインクを供給するためのインク供給口Ｈ１２０１が形成されている。  
さらに第１のプレートＨ１２００には開口部を有する第２のプレートＨ１４００が接着固定されており、この第２のプレートＨ１４００は電気配線テープＨ１３００と記録素子基板Ｈ１１００とが電気的に接続されるように電気コンタクト基板Ｈ２２００を保持している。この電気コンタクト基板Ｈ２２００は、前記第１の記録素子基板Ｈ１１０１および前記第２の記録素子基板Ｈ１１００にインクを吐出するための電気信号を印加するものであり、前記第１の記録素子基板Ｈ１１０１および前記第２の記録素子基板Ｈ１１００に対応する電気配線と、この電気配線端部に位置し本体からの電気信号を受け取るための外部信号入力端子Ｈ１３０１とがインク供給部材Ｈ１５００の背面側に位置決め固定されている。
【００２８】
図１２は図１０および図１１に示すインクジェット記録ヘッドＨ１００１に設けられている第１の記録素子基板Ｈ１１０１および第２の記録素子基板Ｈ１１００を拡大して示す一部切欠斜視図である。  
インクはインクタンクＨ１９００（Ｈ１９０１〜Ｈ１９０４）から記録ヘッドユニットＨ１００１の第１の記録素子基板Ｈ１１０１および第二の記録素子基板Ｈ１１００に供給される。第一の記録素子基板Ｈ１１０１および第二の記録素子基板Ｈ１１００には、インク供給口Ｈ１２０１を挟んで両側に千鳥配置された複数の吐出口Ｈ１１００Ｔが設けられ、またこの吐出口Ｈ１１００Ｔからそれぞれインク液を吐出するために利用される熱エネルギーを発生する電気熱変換素子Ｈ１１０３が各インク流路Ｈ１５０１毎にシリコンからなる基体上に設けられている。
【００２９】
上述した構成からなるインクジェット記録ヘッドにおいて、インクは複数の吐出口Ｈ１１００Ｔの近傍でメニスカスを形成して保持される。この時、電気熱変換素子Ｈ１１０３を画像の記録情報などに応じて選択的に駆動させることにより、その発生する熱エネルギーを利用して熱作用面上のインクを急激に加熱沸騰させ、この時の圧力によってインク供給口Ｈ１２０１からインク流路Ｈ１５０１を通って吐出口Ｈ１１００Ｔよりインク滴を吐出させる。  
このインク滴は記録ヘッドとの対向位置に送られてきた用紙等の記録媒体に着弾し、所望の画像記録を形成する。
【００３０】
次に図１〜図５を参照しつつ、本発明の第１の実施形態における作用を詳細に説明する。  
まず、往走査時のインクが付着する様子を、図２および図３を用いて説明する。  
図２に示すように、左側にイエローのインクを吐出する記録ヘッドＹｈ、右側にマゼンタのインクを吐出する記録ヘッドＣｈが配置されている場合において、キャリッジが往走査方向（Ｘ方向）へと移動した場合、インク滴は、マゼンタ、イエローの順に、記録媒体上の同一のドット形成位置に着弾する。その結果、記録媒体の表面上から見てレッドの色相を有する混色ドットが形成される。
【００３１】
図３は、この時のインク滴の記録媒体Ｐへの浸透状態を模式的に示す断面図である。図示のように、記録媒体Ｐでは、まずマゼンタのインクＭが浸透し、表面および内部に広がる。次に着弾したイエローのインクＹはこのマゼンタのインクＭの下部に潜り込む。  
このようにして形成されたドットを記録媒体表面上から見るとマゼンタのインクＭとイエローのインクＹとが重なってレッドの混色ドットが形成されることとなるが、先程述べたようにイエローのインクＹはマゼンタのインクＭの下に潜り込んでしまうため、表面にはイエローのインクはあまり残らず、その結果、マゼンタが支配的なレッドのドットが形成されることになる。
【００３２】
一方、復走査時には、キャリッジが図４に示すように、復走査方向（Ｘ２方向）に移動し、インク滴はイエロー、マゼンタの順に、記録媒体上の同一のドット形成位置に着弾する。その結果、記録媒体の表面上から見てレッドの色相を有する混色ドットが形成される。  
この復走査時において、図１（ｂ）に示すように、往走査時と同じ吐出量でイエローおよびマゼンタの各インク滴を着弾させた場合、往走査時とは逆に、イエローのインクＹの後にマゼンタのインクＭが着弾されるため、マゼンタのインクＭはイエローのインクＹの下に潜り込み、往走査時とは逆にイエローが支配的なレッドのドットが形成されることとなり、往復走査で色味が異なることになる。
【００３３】
そこでこの実施形態では、図１（ａ）に示すように、先に打つイエローのインク滴Ｙのインク量を少なくし、後に打つマゼンタのインク滴Ｍのインク量を多くするようにしている。  
こうすることで、イエローのインクＹが表面および内部で広がる量が減り、次に打たれるマゼンタＭの表面で多く残り、その結果、往走査時と同様にマゼンタが支配的なレッドのドットを形成することができる。
【００３４】
また、往走査時には、図１（ａ）に示すように、イエローが表面に広がっている領域が全体的に少ないため、往走査時同様にマゼンタが支配的なレッドが形成され、往復走査での色味にムラのない記録を行うことができる。  
ここでは、先に着弾させるイエローのインク滴Ｙのインク量を減らし、後に着弾するマゼンタのインク滴Ｍのインク量を増加させたが、インクの濃度、吐出量およびインクの浸透性などの条件に応じてインク量の増減の程度は適宜設定する必要がある。例えば、イエローのインク滴のインク量のみを減らす場合、あるいはマゼンタのインク滴のインク量を増加する場合なども考えられ、インク量の設定、組み合わせは、種々の条件に応じて設定する必要がある。
【００３５】
また、各記録ヘッドから吐出されるインク滴のインク量の制御は、電気熱変換素子に駆動パルスを印加する周知の制御手段が、その駆動パルスのパルス幅を変調することにより行うことができる。なお、この制御手段は、周知の記録ヘッド駆動回路と、この駆動回路の駆動を制御するＣＰＵなどの制御部とによって構成される。
【００３６】
電気熱変換素子に駆動パルスを印加する方式としては、例えば、図５（ａ）、（ｂ）のように、ノズル内のインクを予備的に加熱するために、まず電気熱変換素子に比較的短いパルス幅ｔ１（ｔ１’）のプレパルスＰＳ１を印加し、その後、休止時間ｔ２を介して、比較的長いパルス幅ｔ３（ｔ３’）のメインパルスＰＳ２を印加する方式が知られており、この方式を採用する場合には、次のようにして吐出量の制御を行うことができる。
【００３７】
すなわち、図５（ａ）に示すように、復走査でのイエロー記録時の加熱用のプレパルス幅ｔ１を往走査時に比べて短くし、かつメインパルス幅ｔ３を復走査時に比べて長くすれば、トータルパルス幅を変えずにイエローの吐出量を往走査時に比べて減少させることができる。
【００３８】
さらに、図５（ｂ）に示すように、マゼンタ記録時の加熱用のプレパルス幅ｔ１’を往走査時に比べて長くし、かつメインパルス幅ｔ３’を短くすれば、トータルパルス幅を変えずに吐出量を増加することができる。
【００３９】
より詳細に説明すると、図５（ａ）に示すトータルパルス幅である（ｔ１＋ｔ３）が、図５（ｂ）に示すトータルパルス幅（ｔ１’＋ｔ３’）と等しくなり、かつｔ１＜ｔ１’、ｔ３＞ｔ３’となるように設定する。  
但し、休止時間ｔ２、ｔ２’に関しては、ｔ２＝ｔ２’の場合とｔ２≠ｔ２’の場合があり、ｔ１’、ｔ２’、ｔ３’の設定は制御する吐出量によってその都度変更することが必要である。  
このようにすることで、低コストで小型な記録ヘッドを実現することが可能となり、延いてはこの記録ヘッドを用いるインクジェット記録装置全体の構成を小型化することも可能となる。
【００４０】
なお、ここではイエロー、マゼンタの２色混色時を説明したが、ブラック、シアン、マゼンタ、イエローの４色を用いる記録動作では、図６、図７のように、記録ヘッドＹｈから吐出されたイエローのインクと記録ヘッドＣｈから吐出されたシアンのインクとの混色部分、および図８、図９のように記録ヘッドＭｈから吐出されたマゼンタのインクＭと記録ヘッドＣｈから吐出されたシアンのインクＣとの混色部分を形成する場合があるが、この場合についても前述と同様に各インクの吐出量を記録ヘッドの走査方向に応じて増減させることで、往復両走査において常に一定の色味を有する混色部分を形成することができる。
【００４１】
なお、上記実施形態では、記録ヘッドからインクを吐出させるための吐出エネルギーを発生させる吐出エネルギー発生素子として電気熱変換素子を用いた場合を例に採り説明したが、本発明は、その他の吐出エネルギー発生手段、例えば、ピエゾなどの電気機械変換手段を有する記録ヘッドを用いる場合にも適用可能である。
【図面の簡単な説明】
【００４２】
【図１】（ａ）は本発明の実施形態における往復走査によって色ムラなくレッドのドットが形成された状態を模式的に示す断面図であり、（ｂ）は従来例における往復走査によってレッドのドットを形成した際に、色ムラが生じている状態を模式的に示す断面図である。
【図２】イエロー、マゼンタのインクを吐出する２個の記録ヘッドの配置と、往走査方向との関係を示す説明平面図である。
【図３】従来の記録方法によってマゼンタとシアンの順で各インク滴を記録媒体上の同一着弾位置へと着弾させたときの各インク滴の記録媒体への浸透状態を模式的に示す断面図である。
【図４】イエロー、マゼンタのインクを吐出する２個の記録ヘッドの配置と、復走査方向との関係を示す説明平面図である。
【図５】（ａ）は本発明の実施形態において記録ヘッドに印加する駆動パルスを示す図であり、（ａ）は復走査時においてイエローのインク滴を吐出させる場合の駆動パルス幅を、（ｂ）は復走査時においてマゼンタのインク滴を吐出させる場合の駆動パルス幅をそれぞれ示している。
【図６】イエロー、シアンのインクを吐出する２個の記録ヘッドの配置と、往走査方向との関係を示す説明平面図である。
【図７】イエロー、シアンのインクを吐出する２個の記録ヘッドの配置と、復走査方向との関係を示す説明平面図である。
【図８】マゼンタ、シアンのインクを吐出する２個の記録ヘッドの配置と、往走査方向との関係を示す説明平面図である。
【図９】マゼンタ、シアンのインクを吐出する２個の記録ヘッドの配置と、復走査方向との関係を示す説明平面図である。
【図１０】本発明の実施例における記録ヘッドカートリッジを示す斜視図であり、（ａ）は記録ヘッドユニットとインクタンクとを組み合わせた状態を、（ｂ）は記録ヘッドユニットとインクタンクとを分離させた状態をそれぞれ示している。
【図１１】図１０に示す記録ヘッドを分解した状態を示す分解斜視図である。
【図１２】図１０および図１１に示すインクジェット記録ヘッドに設けられている第１の記録素子基板および第２の記録素子基板を拡大して示す一部切欠斜視図である。
【図１３】記録ヘッドに複数形成されるインク吐出用のノズルの構造を示す説明断面図である。
【図１４】一般的なカラーインクジェット記録ヘッドの構成を示す一部切欠斜視図である。
【符号の説明】
【００４３】
Ｈ１１００Ｔ  吐出口
Ｈ１９００  インクタンク
Ｈ１１０３  電気熱変換素子
Ｈ１１０４    オリフィスプレート
Ｈ１２００  第１のプレート
Ｈ１２０１    インク供給口
Ｈ１３００  電気配線テープ  
Ｈ１３０１    外部信号入力端子
Ｈ１４００  第２のプレート
Ｈ１５００    インク供給部材
Ｙｈ  イエローのインク滴を吐出する記録ヘッド
Ｃｈ  イエローのインク滴を吐出する記録ヘッド
Ｍｈ  イエローのインク滴を吐出する記録ヘッド
ＰＳ１  プレパルス
ＰＳ２  メインパルス
ｔ１  プレパルス幅
ｔ２  メインパルス幅
Ｐ  記録媒体
Ｘ１  往走査方向
Ｘ２  復走査方向
【図１】
2005169860.tif 000003
【図２】
2005169860.tif 000004
【図３】
2005169860.tif 000005
【図４】
2005169860.tif 000006
【図５】
2005169860.tif 000007
【図６】
2005169860.tif 000008
【図７】
2005169860.tif 000009
【図８】
2005169860.tif 000010
【図９】
2005169860.tif 000011
【図１０】
2005169860.tif 000012
【図１１】
2005169860.tif 000013
【図１２】
2005169860.tif 000014
【図１３】
2005169860.tif 000015
【図１４】
2005169860.tif 000016